(57)【要約】【課題】構造が簡単で、組立てが容易であり、生産効率を効果的に向上させることができる伸縮防護蓋の組合せ構造の提供。【解決手段】伸縮防護蓋の組合せ構造は、板体１０のサポート片１１両側には、少なくとも１個のサポート弾力片１３をそれぞれ形成し、サポート片１１一端は、概ね垂直を呈する防護片１４を延伸し、サポート片１１を備える２個の板体１０を対応させ相互に重ねて設置し、こうしてサポート片１１は固定され、防護本体２１を形成し、相互に隣接する２個の防護本体２１両側のサポート弾力片１３を順番に連接し、階層状で、弾性を備える防護蓋の組合せ構造を形成する。【選択図】図５
0003154758.tif 000002
【実用新案登録請求の範囲】
【請求項１】
サポート片を設置する２個の板体を重ねて固定し構成する防護本体を備え、
前記サポート片両側には、それぞれ中空間隙を備え、少なくとも１個のサポート弾力片をそれぞれ形成し、
前記２個の板体両側の各サポート弾力片一端は、別の防護本体のサポート弾力片と順番に固定され、こうして階層状の防護蓋を形成することを特徴とする伸縮防護蓋の組合せ構造。
【請求項２】
請求項１記載の伸縮防護蓋の組合せ構造において、前記中空間隙は、概ね匚字型、或いはＥ字型を呈する中空間隙であることを特徴とする伸縮防護蓋の組合せ構造。
【請求項３】
請求項２記載の伸縮防護蓋の組合せ構造において、サポート片の片側は、概ね垂直を呈する防護片を延伸し、概ねＬ字型を呈することを特徴とする伸縮防護蓋の組合せ構造。
【請求項４】
請求項３記載の伸縮防護蓋の組合せ構造において、前記サポート片には、複数の固定孔を設置し、固定部品により、相互に隣接する２個のサポート片を固定し、しかも、サポート弾力片両端には、固定孔をそれぞれ設置し、固定部品により、相互に隣接する２個のサポート弾力片を固定することを特徴とする伸縮防護蓋の組合せ構造。
【請求項５】
請求項４記載の伸縮防護蓋の組合せ構造において、前記サポート片両端には、それぞれ導入槽を設置することを特徴とする伸縮防護蓋の組合せ構造。
【請求項６】
請求項５記載の伸縮防護蓋の組合せ構造において、防護片と前記サポート片との間は、連接片により連接することを特徴とする伸縮防護蓋の組合せ構造。
【請求項７】
請求項５或いは請求項６記載の伸縮防護蓋の組合せ構造において、防護片底端は、内側へと屈折して、接触片を形成することを特徴とする伸縮防護蓋の組合せ構造。
【請求項８】
請求項７記載の伸縮防護蓋の組合せ構造において、防護蓋には、少なくとも１個の定位部品を設置し、前記定位部品は、防護本体一端の相互に重なる板体間にそれぞれ固定することを特徴とする伸縮防護蓋の組合せ構造。
【請求項９】
請求項１記載の伸縮防護蓋の組合せ構造において、前記防護蓋外周に枠のように設置するベース、及び前記ベース内に設置する連動装置を備えることを特徴とする伸縮防護蓋の組合せ構造。
【請求項１０】
請求項９記載の伸縮防護蓋の組合せ構造において、前記ベースは、空間を備える底板、前記底板両端から上方へと延伸し、Ｌ字型を呈する導入板を備え、
各導入板は、前記底板両端において垂直を呈し、やや冂字型を呈し、しかも前記導入板は、導引部をそれぞれ備え、レールを形成し、前記底板の反対側の両端に設置し、前記防護蓋一端の固定板にそれぞれ連接して組合わさり、構成することを特徴とする伸縮防護蓋の組合せ構造。
【請求項１１】
請求項１０記載の伸縮防護蓋の組合せ構造において、連動装置は、前記防護蓋の反対端に連接し、しかも空間を備える底板、前記底板両端から上方へと延伸し、Ｌ字型を呈する導入板、固定板を備え、
前記導入板は、前記底板両端において垂直を呈し、やや冂字型を呈し、しかも前記導入板は、導引部をそれぞれ備え、レールを形成し、
前記固定板は、前記底板の反対側の両端に設置し、防護蓋一端にそれぞれ連接し、
前記底板の導入板内には、スライド台をスライド可能状態で設置し、前記スライド台上端には、挟持部を設置し、これにより工具或いはカッターを挟持することを特徴とする伸縮防護蓋の組合せ構造。
【請求項１２】
請求項１或いは請求項９記載の伸縮防護蓋の組合せ構造において、サポート片上の適当な位置には、開口部を開設し、
前記開口部中には、軸棒を挿入して設置し、これにより複数の防護本体を重ねて接続することを特徴とする伸縮防護蓋の組合せ構造。
【請求項１３】
請求項１２記載の伸縮防護蓋の組合せ構造において、前記開口部の辺縁には、少なくとも１個のクッション体を嵌めて設置することを特徴とする伸縮防護蓋の組合せ構造。
【考案の詳細な説明】
【技術分野】
【０００１】
本考案は伸縮防護蓋の組合せ構造に関し、特に２個の板体が対応して相互に重なり、サポート片を固定して防護本体を形成し、さらに、相互に隣接する防護本体両側のサポート弾力片は、順番に連接し階層状を形成し、弾性を備える防護蓋の組合せ構造を構成し、その構造は簡単で、組立ては容易であり、製造効率を効果的に向上させることができる伸縮防護蓋の組合せ構造に関する。
【背景技術】
【０００２】
大量、かつ迅速な生産に対応するため、工作機械上には、加工時に、各種金属くずが生じる。金属くずが工作機械内に入らないようにするため、各種防護蓋が存在する。これにより、金属くずの機械内への進入を防止し、機械の使用寿命を大幅に延長することができる。
特許文献１が示す従来の防護方式では、冂字型を呈する数個の防護板を備える。防護板間は、階層状となり、これにより防護板間は、伸縮して重なっている。防護板内には、折り目体を設置し、折り目体は、固定部品を通して、それと防護板とを相互に固定する。固定部品は、固定端、挟持端により組成し、固定端と挟持端との間は、ピボットにより、貫通して連接する。固定端上には、数個の固定孔を設置し、挟持端上には、弾性体を連接して設置する。弾性体を通して、挟持端は、挟持力を生じる。
使用者が製造し、組み立てる時には、結合部品を用いて、固定端上の固定孔と保護板を相互に結合させる。それと同時に、挟持端は、折り目体の上端を挟持して固定し、数組の防護板上に、固定片を垂直に延伸して設置し、固定片を用いて、折り目体を固定する。防護板は伸縮可能であるため、機械加工において発生する各種金属くずが機械に入らないよう、或いは作業人員にぶつからないように、防止することができる。
【０００３】
しかし、上記の構造は、複雑で、組立て、生産に不便である。しかも、折り目体を支えるために、折り目体はサポート片を備える必要があるが、サポート片と折り目体は、先ず、高周波溶接を行なう必要があるため、生産設備が極めて高価で、製造に非常に時間がかかる。
【先行技術文献】
【特許文献】
【０００４】
【特許文献１】台湾実用新案登録第93218423号
【考案の概要】
【考案が解決しようとする課題】
【０００５】
本考案は伸縮防護蓋の組合せ構造を提供する。伸縮防護蓋の組合せ構造は、板体が備えるサポート片両側には、少なくとも１個のサポート弾力片をそれぞれ形成し、しかも、該サポート片一端は、概ね垂直を呈する防護片を延伸し、該２個の板体を対応させ相互に重ねて設置し、こうして、該サポート片は固定され、防護本体を形成し、さらに、複数の該防護本体両側のサポート弾力片を順番に連接し、階層状の防護蓋の組合せ構造を形成する。
【課題を解決するための手段】
【０００６】
請求項１の考案は、サポート片を設置する２個の板体を重ねて固定し構成する防護本体を備え、
前記サポート片両側には、それぞれ中空間隙を備え、少なくとも１個のサポート弾力片をそれぞれ形成し、
前記２個の板体両側の各サポート弾力片一端は、別の防護本体のサポート弾力片と順番に固定され、こうして階層状の防護蓋を形成することを特徴とする伸縮防護蓋の組合せ構造としている。
請求項２の考案は、請求項１記載の伸縮防護蓋の組合せ構造において、前記中空間隙は、概ね匚字型、或いはＥ字型を呈する中空間隙であることを特徴とする伸縮防護蓋の組合せ構造としている。
請求項３の考案は、請求項２記載の伸縮防護蓋の組合せ構造において、サポート片の片側は、概ね垂直を呈する防護片を延伸し、概ねＬ字型を呈することを特徴とする伸縮防護蓋の組合せ構造としている。
請求項４の考案は、請求項３記載の伸縮防護蓋の組合せ構造において、前記サポート片には、複数の固定孔を設置し、固定部品により、相互に隣接する２個のサポート片を固定し、しかも、サポート弾力片両端には、固定孔をそれぞれ設置し、固定部品により、相互に隣接する２個のサポート弾力片を固定することを特徴とする伸縮防護蓋の組合せ構造としている。
請求項５の考案は、請求項４記載の伸縮防護蓋の組合せ構造において、前記サポート片両端には、それぞれ導入槽を設置することを特徴とする伸縮防護蓋の組合せ構造としている。
請求項６の考案は、請求項５記載の伸縮防護蓋の組合せ構造において、防護片と前記サポート片との間は、連接片により連接することを特徴とする伸縮防護蓋の組合せ構造としている。
請求項７の考案は、請求項５或いは請求項６記載の伸縮防護蓋の組合せ構造において、防護片底端は、内側へと屈折して、接触片を形成することを特徴とする伸縮防護蓋の組合せ構造としている。
請求項８の考案は、請求項７記載の伸縮防護蓋の組合せ構造において、防護蓋には、少なくとも１個の定位部品を設置し、前記定位部品は、防護本体一端の相互に重なる板体間にそれぞれ固定することを特徴とする伸縮防護蓋の組合せ構造としている。
請求項９の考案は、請求項１記載の伸縮防護蓋の組合せ構造において、前記防護蓋外周に枠のように設置するベース、及び前記ベース内に設置する連動装置を備えることを特徴とする伸縮防護蓋の組合せ構造としている。
請求項１０の考案は、請求項９記載の伸縮防護蓋の組合せ構造において、前記ベースは、空間を備える底板、前記底板両端から上方へと延伸し、Ｌ字型を呈する導入板を備え、各導入板は、前記底板両端において垂直を呈し、やや冂字型を呈し、しかも前記導入板は、導引部をそれぞれ備え、レールを形成し、前記底板の反対側の両端に設置し、前記防護蓋一端の固定板にそれぞれ連接して組合わさり、構成することを特徴とする伸縮防護蓋の組合せ構造としている。
請求項１１の考案は、請求項１０記載の伸縮防護蓋の組合せ構造において、連動装置は、前記防護蓋の反対端に連接し、しかも空間を備える底板、前記底板両端から上方へと延伸し、Ｌ字型を呈する導入板、固定板を備え、
前記導入板は、前記底板両端において垂直を呈し、やや冂字型を呈し、しかも前記導入板は、導引部をそれぞれ備え、レールを形成し、
前記固定板は、前記底板の反対側の両端に設置し、防護蓋一端にそれぞれ連接し、
前記底板の導入板内には、スライド台をスライド可能状態で設置し、前記スライド台上端には、挟持部を設置し、これにより工具或いはカッターを挟持することを特徴とする伸縮防護蓋の組合せ構造としている。
請求項１２の考案は、請求項１或いは請求項９記載の伸縮防護蓋の組合せ構造において、サポート片上の適当な位置には、開口部を開設し、
前記開口部中には、軸棒を挿入して設置し、これにより複数の防護本体を重ねて接続することを特徴とする伸縮防護蓋の組合せ構としている。
請求項１３の考案は、  請求項１２記載の伸縮防護蓋の組合せ構造において、前記開口部の辺縁には、少なくとも１個のクッション体を嵌めて設置することを特徴とする伸縮防護蓋の組合せ構造としている。
【考案の効果】
【０００７】
本考案伸縮防護蓋の組合せ構造は、構造が簡単で、組立ては容易であり、板体の規格はシンプルで、さらには単一化することもでき、部品の在庫を減らし、製造効率効果的にを向上させることができる。
【図面の簡単な説明】
【０００８】
【図１】本考案第一板体の立体図である。
【図２】本考案第二板体の立体図である。
【図３】本考案第三板体の立体図である。
【図４】本考案第四板体の立体図である。
【図５】本考案の局部断面図である。
【図６】本考案の局部組立て図である。
【図７】本考案第一実施例の模式図（一）である。
【図８】本考案第一実施例の模式図（二）である。
【図９】本考案第一実施例の模式図（三）である。
【図１０】本考案第二実施例の断面図である。
【図１１】本考案第二実施例の立体作動図である。
【図１２】本考案第三実施例の立体分解図である。
【図１３】本考案第三実施例の立体組合せ図である。
【図１４】本考案第四実施例の立体分解図である。
【図１５】本考案第四実施例の立体組合せ図の局部拡大図である。
【考案を実施するための形態】
【０００９】
図１に示すように、本考案の板体１０上には、サポート片１１を備える。サポート片１１上には、複数の固定孔１１１を設置し、サポート片１１両側には、概ね匚字型、或いはＥ字型(図２参照)を呈する中空間隙１２をそれぞれ備え、これにより少なくとも１個のサポート弾力片１３を形成する。サポート弾力片１３末端には、少なくとも１個の固定孔１３１を設置し、しかもサポート片１１の一端は、概ね垂直を呈する防護片１４を延伸し、概ねＬ字型を呈する。サポート片１１と防護片１４との間は、連接片１５により連接する。別に、防護片１４底端は、内側へと屈折して接触片１６を形成する。サポート片１１と防護片１４とが隣接する両側には、それぞれ導入槽１７を設置する(図２参照)。防護片１４中央には、欠口１４１を形成し(図３参照)、或いは防護片１４両側には、欠角１４２をそれぞれ形成する(図４参照)。
【００１０】
図５〜７に示すように、本考案の防護蓋２は、複数の防護本体２１が、順番に相対して重なり、組み合わさって階層状を形成する。防護本体２１は、２個の板体１０が相互に重なり組成し、板体１０上には、サポート片１１を設置する。サポート片１１上には、複数の固定孔１１１を設置し、固定部品１１２により、板体１０を固定する。しかも、サポート片１１一端は、概ね垂直の防護片１４を延伸し、概ねＬ字型を呈し、こうして概ね冂字型を呈する防護本体２１を形成する。さらに、サポート片１１両側には、概ね匚字型、或いはＥ字型を呈する中空間隙１２により形成する少なくとも１個のサポート弾力片１３を形成する。サポート弾力片１３末端には、少なくとも１個の固定孔１３１を設置し、防護本体２１の２個の板体１０の各サポート弾力片１３一端は、隣接する別の防護本体２１、板体１０の各サポート弾力片１３と、固定部品１３２によりそれぞれ固定される。
【００１１】
上記した構成部材により組成する伸縮防護蓋の組合せ構造において、防護蓋２を組成する防護本体２１は、図７に示すように、相同形状の２個の板体１０(図１参照)により組成する。或いは、防護蓋２を組成する防護本体２１は、図８、９に示すように、異なる形状の２個の板体１０(図１及び３、或いは１及び４参照)により組成する。防護蓋２１の片面の防護片１４中央には、欠口１４１を形成し、或いは防護片１４両側には、欠角１４２をそれぞれ形成し、様々な機器、設備、或いは環境に対応して使用することができる。
【００１２】
本考案の防護蓋２が使用する板体１０はすべて、サポート片１１を設置し、サポート片１１両側にはすべて、中空間隙１２によりサポート弾力片１３を形成し、固定孔１１１を設置し、サポート片１１は、防護片１４を延伸して組成する。こうして、単一の板体１０は、防護本体２１を組成し、さらにそれにより防護蓋２を組成することができる。すなわち、板体１０の規格をシンプルにし、さらには単一化することもでき、部品の在庫を減らし、製造効率を向上させることができる。
【００１３】
図１０に示すように、本考案伸縮防護蓋の組合せ構造の第二実施例では、複数の防護蓋２１は、順番に相対して重なり組み合わさり、階層状の防護蓋２を形成し、その中に定位部品３を設置することができる。さらに、防護本体２１が相互に重なる板体１０間に、定位部品３を固定する。定位部品３は、細長い形状の合成皮革、或いは布で、これにより定位部品３は、複数の防護本体２１中において折畳み状を呈する。
【００１４】
上記した構成部材が組合わさり形成された伸縮防護蓋の組合せ構造において、第二実施例である図１０、１１に示すように、定位部品３は、防護本体２１中に固定し、これにより、２個の本体２１の定位部品３は、折畳み状を呈する。力を加えて伸ばす時には、その定位部品３は、連動され伸張し、平面を呈し、定位を達成する。これにより、各防護本体２１間の伸張距離は相同となり、定位、及び安定して作動幅を達成することができる。
【００１５】
図１２、１３に示すように、本考案伸縮防護蓋の組合せ構造の第三実施例は、少なくとも１個の防護蓋２、防護蓋２外周に枠のように設置するベース４、ベース４内に設置する連動装置５を含む。ベース４は、空間を備える底板４０、底板４０両端から上方へと延伸し、Ｌ字型を呈する導入板４１、固定板４２を備える。導入板４１は、底板４０両端において垂直を呈し、やや冂字型を呈し、しかも導入板４１は、導引部４１１をそれぞれ備え、レールを形成する。固定板４２は、底板４０の、導入板４１を備える側とは異なる側の両端に設置し、防護蓋２一端にそれぞれ連接する。
【００１６】
連動装置５は、防護蓋２の相対端に連接し、しかも連動装置５は、ベース４の形状に準じる。すなわち、連動装置５は、空間を備える底板５０、底板５０両端から上方へと延伸し、Ｌ字型を呈する導入板５１、固定板５２を備える。導入板５１は、底板５０両端において垂直を呈し、やや冂字型を呈し、しかも導入板５１は、導引部５１１をそれぞれ備え、レールを形成する。固定板５２は、底板５０の、導入板５１を備える側とは異なる側の両端に設置し、防護蓋６外側にそれぞれ連接する。固定板５２は、ベース４の導入板４１中において、スライド可能状態で設置し、底板５０の導入板５１内には、スライド台５３をスライド可能状態で設置する。スライド台５３両側は、防護蓋６にそれぞれ固定する。スライド台５３上端には、挟持部５３１を設置し、これにより工具或いはカッターを挟持する。
【００１７】
連動装置５の固定体５２は、ベース４の導入板４１中にスライド可能状態で設置する。しかも、固定体５２両側は防護蓋２の相対する端とそれぞれ連接する。これにより、連動装置５は、ベース４の導引部４１１のレールに沿ってスライドし、防護蓋２のベース４内における片側展開を連動する。この際、反対側は収縮状態を呈し、これにより、スライド台５３上の挟持部５３１は、Ｙ軸方向の往復移動運動を呈する。連動装置５のスライド台５３は、導入板５１の導引部５１１中においてスライド可能状態で設置する。しかも、スライド台５３両側は、防護蓋６にそれぞれ固定して設置し、これにより、スライド台５３は、導入板５１の導引部５１１のレールに沿ってスライドし、防護蓋６のスライド台５３内における片側展開を連動する。この際、反対側は収縮状態を呈し、これにより、スライド台５３上の挟持部５３１は、Ｘ軸方向の往復移動運動を呈する。こうして、スライド台５３上に設置する挟持部５３１は、Ｘ、Ｙ軸の両方向移動が可能となり、これにより防護蓋２、６は、挟持部５３１上の加工物件に従い移動できるようになり、機器或いは設備への防護を強化することができる。しかも、本実施例構造は、使用者が機器、設備上に直接組立て、或いは取り外すことができるため、利便性を大幅に向上させることができる。
【００１８】
本考案第四実施例の立体分解図である図１４、本考案第四実施例の立体組合せ図の局部拡大図である図１５に示すように、複数防護本体２１のサポート片１１上の適当な位置には、開口部１８を開設する。開口部１８中には、軸棒７を挿入して設置し、複数の防護本体２１を重ねて接続することができる。こうして、防護本体２１がスライド移動する時の平滑性と安定性を増強し、しかも重なった防護本体２１がレールを外れて変形しないように防止することができる。さらには、開口部１８の辺縁には、少なくとも１個のクッション体１９を嵌めて設置し、これにより防護本体２１のスライド移動時に、軸棒７に対して生じる摩擦力を低下させることができる。
【符号の説明】
【００１９】
１０  板体
１１  サポート片
１１１  固定孔
１１２  固定部品
１２  中空間隙
１３  サポート弾力片
１３１  固定孔
１３２  固定部品
１４  防護片
１４１  欠口
１４２  欠角
１５  連接片
１６  接触片
１７  導入槽
１８  開口部
１９  クッション体
２  防護蓋
２１  防護本体
３  定位部品
４  ベース
４０  底板
４１  導入板
４１１  導引部
４２  固定板
４３  連動板
４３１  挟持部
５  連動装置
５０  底板
５１  導入板
５１１  導引部
５２  固定板
５３  スライド台
５３１  挟持部
６  防護蓋
７  軸棒
【図１】
0003154758.tif 000003
【図２】
0003154758.tif 000004
【図３】
0003154758.tif 000005
【図４】
0003154758.tif 000006
【図５】
0003154758.tif 000007
【図６】
0003154758.tif 000008
【図７】
0003154758.tif 000009
【図８】
0003154758.tif 000010
【図９】
0003154758.tif 000011
【図１０】
0003154758.tif 000012
【図１１】
0003154758.tif 000013
【図１２】
0003154758.tif 000014
【図１３】
0003154758.tif 000015
【図１４】
0003154758.tif 000016
【図１５】
0003154758.tif 000017